(57)【要約】【課題】  ワイド型の表示領域を有する透過型の液晶表示装置における色温度や色再現性を容易に向上させるとともに、面輝度の均一性を容易に高くする。【解決手段】  概略矩形の表示領域を有する液晶表示パネルと、観察者側から見て前記液晶表示パネルの後方に配置されたバックライトユニットとを有する液晶表示装置であって、前記バックライトユニットは、第１の環型蛍光灯および第２の環型蛍光灯と、前記観察者側から見た前記第１の環型蛍光灯および前記第２の環型蛍光灯の後方に反射面を有する概略箱形の筐体と、を有し、前記第１の環型蛍光灯と前記第２の環型蛍光灯とは、環の直径が概ね等しく、前記第１の環型蛍光灯と前記第２の環型蛍光灯とは、前記液晶表示パネルの前記表示領域と概ね平行な方向に並んでおり、かつ、前記観察者側から見た前記第１の環型蛍光灯と前記第２の環型蛍光灯とが交差しないように配置されている液晶表示装置。【選択図】        図２（ａ）
2008304790.tif 000002
【特許請求の範囲】
【請求項１】
概略矩形の表示領域を有する液晶表示パネルと、観察者側から見て前記液晶表示パネルの後方に配置されたバックライトユニットとを有する液晶表示装置であって、
前記バックライトユニットは、第１の環型蛍光灯および第２の環型蛍光灯と、前記観察者側から見た前記第１の環型蛍光灯および前記第２の環型蛍光灯の後方に反射面を有する概略箱形の筐体と、を有し、
前記第１の環型蛍光灯と前記第２の環型蛍光灯とは、環の直径が概ね等しく、
前記第１の環型蛍光灯と前記第２の環型蛍光灯とは、前記液晶表示パネルの前記表示領域と概ね平行な方向に並んでおり、かつ、
前記観察者側から見た前記第１の環型蛍光灯と前記第２の環型蛍光灯とが交差しないように配置されていることを特徴とする液晶表示装置。
【請求項２】
概略矩形の表示領域を有する液晶表示パネルと、観察者側から見て前記液晶表示パネルの後方に配置されたバックライトユニットとを有する液晶表示装置であって、
前記バックライトユニットは、第１の環型蛍光灯および第２の環型蛍光灯と、前記観察者側から見た前記第１の環型蛍光灯および前記第２の環型蛍光灯の後方に反射面を有する概略箱形の筐体と、を有し、
前記第１の環型蛍光灯と前記第２の環型蛍光灯とは、環の直径が概ね等しく、
前記観察者側から見た前記第１の環型蛍光灯における環の中心と前記第２の環型蛍光灯における環の中心との距離が、前記各環型蛍光灯の環の直径よりも長いことを特徴とする液晶表示装置。
【請求項３】
前記バックライトユニットは、前記第１の環型蛍光灯のソケットおよびその周辺のみを覆う第１の部材と、前記第２の環型蛍光灯のソケットおよびその周辺のみを覆う第２の部材とを有することを特徴とする請求項１または請求項２に記載の液晶表示装置。
【請求項４】
前記第１の環型蛍光灯および前記第２の環型蛍光灯は、ソケットが白色であることを特徴とする請求項１または請求項２に記載の液晶表示装置。
【請求項５】
前記第１の環型蛍光灯および前記第２の環型蛍光灯は、熱陰極型であることを特徴とする請求項１乃至請求項４のいずれか１項に記載の液晶表示装置。
【請求項６】
前記筐体の前記反射面は、前記観察者側から見た前記第１の環型蛍光灯の内側、および前記第２の環型蛍光灯の内側に、前記液晶表示パネル側に隆起した面を有することを特徴とする請求項１乃至請求項５のいずれか１項に記載の液晶表示装置。
【請求項７】
前記筐体の前記反射面は、前記観察者側から見た前記第１の環型蛍光灯および前記第２の環型蛍光灯の外側に、前記各環型蛍光灯から遠ざかるにつれて前記液晶表示パネルとの距離が短くなる傾斜面を有することを特徴とする請求項１乃至請求項６のいずれか１項に記載の液晶表示装置。
【請求項８】
前記バックライトユニットは、前記観察者側から見て前記第１の環型蛍光灯および前記第２の環型蛍光灯と交差する第３の環型蛍光灯を有することを特徴とする請求項１乃至請求項７のいずれか１項に記載の液晶表示装置。
【発明の詳細な説明】
【技術分野】
【０００１】
本発明は、液晶表示装置に関し、特に、ワイド型と呼ばれる横長の表示領域を有する透過型の液晶表示装置に適用して有効な技術に関するものである。
【背景技術】
【０００２】
２枚の基板の間に液晶材料を封入した液晶表示パネルを有する液晶表示装置は、たとえば、使用する光源の種類により、透過型、反射型、半透過型に大別される。
【０００３】
前記透過型の液晶表示装置は、観察者側から見た液晶表示パネルの後方にバックライトユニットと呼ばれる光源が配置されている液晶表示装置であり、テレビやＰＣのディスプレイなどに用いられている。
【０００４】
また、液晶テレビなど直視型の液晶表示装置における前記バックライトユニットの光源には、主に、蛍光灯が用いられており、蛍光灯を用いたバックライトユニットは、たとえば、蛍光灯の配置方法により、直下型とエッジライト型（導光板方式と呼ぶこともある。）に大別される。
【０００５】
前記直下型のバックライトユニットは、たとえば、観察者側から見た液晶表示パネルの表示領域の後方に複数本の蛍光灯が配置されており、さらにその後方に反射板が配置されている。また、前記複数本の蛍光灯と液晶表示パネルとの間には、光拡散板などの光学シートが配置されている。そして、前記複数本の蛍光灯から直接、あるいは前記反射板で反射して液晶表示パネルがある方向に出射する光を、前記光学シートで面状の光に変換して、液晶表示パネルに照射する。
【０００６】
また、従来の前記直下型のバックライトユニットは、直線型またはＵ字型の蛍光灯を複数本並べたものが一般的である。しかしながら、近年の前記直下型のバックライトユニットには、たとえば、環型蛍光灯を複数個、略同心円に設置したものもある（たとえば、特許文献１を参照。）
【特許文献１】特開平１０−３１２１２号公報
【発明の開示】
【発明が解決しようとする課題】
【０００７】
前記透過型の液晶表示装置に用いられる前記バックライトユニットには、たとえば、色温度や色再現性の良さや面輝度の均一性の高さが要求される。
【０００８】
しかしながら、前記バックライトユニットに用いられる蛍光灯は、たとえば、同じ材料を用い、同じプロセスで製造したものであっても、蛍光灯ごとに色温度や輝度、寿命などにばらつきが生じる。
【０００９】
そのため、従来の直線型またはＵ字型の蛍光灯を複数本用いたバックライトユニットを有する液晶表示装置では、たとえば、色温度や色再現性にばらつきが生じたり、面輝度の均一性が低くなったりするという問題がある。
【００１０】
特に、液晶テレビやＰＣ向けの液晶ディスプレイなどの液晶表示装置は、近年、表示領域の大面積化（大画面化）が進んでおり、色温度や色再現性を向上させる、面輝度の均一性を高くするといったことが難しくなってきている。
【００１１】
また、液晶テレビやＰＣ向けの液晶ディスプレイなどの液晶表示装置は、近年、ワイド型と呼ばれる、従来よりも横長の表示領域を有する液晶表示パネルを用いるようになってきている。
【００１２】
従来の液晶表示装置のバックライトユニットで用いられている直線型またはＵ字型の複数本の蛍光灯は、通常、表示領域ＤＡの縦方向（上下方向）に並べられている。そのため、前記ワイド型の液晶表示装置に直線型またはＵ字型の蛍光灯を用いる場合、１本１本を長くする必要があり、取り扱いが難しくなるという問題もある。
【００１３】
またさらに、前記ワイド型の液晶表示装置における表示領域の横と縦の寸法比は、たとえば、１６：９である。そのため、たとえば、前記特許文献１に記載されたような、複数個の環型蛍光灯を同心円に設置した構成のバックライトユニットの場合、面輝度の均一性を高くすることが難しいと考えられる。
【００１４】
本発明の目的は、たとえば、ワイド型の表示領域を有する透過型の液晶表示装置における色温度や色再現性を向上させるとともに、面輝度の均一性を高くすることが可能な技術を提供することにある。
【００１５】
本発明の前記ならびにその他の目的と新規な特徴は、本明細書の記述および添付図面によって明らかになるであろう。
【課題を解決するための手段】
【００１６】
本願において開示される発明のうち、代表的なものの概略を説明すれば、以下の通りである。
【００１７】
（１）概略矩形の表示領域を有する液晶表示パネルと、観察者側から見て前記液晶表示パネルの後方に配置されたバックライトユニットとを有する液晶表示装置であって、前記バックライトユニットは、第１の環型蛍光灯および第２の環型蛍光灯と、前記観察者側から見た前記第１の環型蛍光灯および前記第２の環型蛍光灯の後方に反射面を有する概略箱形の筐体と、を有し、前記第１の環型蛍光灯と前記第２の環型蛍光灯とは、環の直径が概ね等しく、前記第１の環型蛍光灯と前記第２の環型蛍光灯とは、前記液晶表示パネルの前記表示領域と概ね平行な方向に並んでおり、かつ、前記観察者側から見た前記第１の環型蛍光灯と前記第２の環型蛍光灯とが交差しないように配置されている液晶表示装置。
【００１８】
（２）概略矩形の表示領域を有する液晶表示パネルと、観察者側から見て前記液晶表示パネルの後方に配置されたバックライトユニットとを有する液晶表示装置であって、前記バックライトユニットは、第１の環型蛍光灯および第２の環型蛍光灯と、前記観察者側から見た前記第１の環型蛍光灯および前記第２の環型蛍光灯の後方に反射面を有する概略箱形の筐体と、を有し、前記第１の環型蛍光灯と前記第２の環型蛍光灯とは、環の直径が概ね等しく、前記観察者側から見た前記第１の環型蛍光灯における環の中心と前記第２の環型蛍光灯における環の中心との距離が、前記各環型蛍光灯の環の直径よりも長い液晶表示装置。
【００１９】
（３）前記（１）または（２）の液晶表示装置において、前記バックライトユニットは、前記第１の環型蛍光灯のソケットおよびその周辺のみを覆う第１の部材と、前記第２の環型蛍光灯のソケットおよびその周辺のみを覆う第２の部材とを有する液晶表示装置。
【００２０】
（４）前記（１）または（２）の液晶表示装置において、前記第１の環型蛍光灯および前記第２の環型蛍光灯は、ソケットが白色である液晶表示装置。
【００２１】
（５）前記（１）乃至（４）のいずれかの液晶表示装置において、前記第１の環型蛍光灯および前記第２の環型蛍光灯は、熱陰極型である液晶表示装置。
【００２２】
（６）前記（１）乃至（５）のいずれかの液晶表示装置において、前記筐体の前記反射面は、前記観察者側から見た前記第１の環型蛍光灯の内側、および前記第２の環型蛍光灯の内側に、前記液晶表示パネル側に隆起した面を有する液晶表示装置。
【００２３】
（７）前記（１）乃至（６）のいずれかの液晶表示装置において、前記筐体の前記反射面は、前記観察者側から見た前記第１の環型蛍光灯および前記第２の環型蛍光灯の外側に、前記各環型蛍光灯から遠ざかるにつれて前記液晶表示パネルとの距離が短くなる傾斜面を有する液晶表示装置。
【００２４】
（８）前記（１）乃至（７）のいずれかの液晶表示装置において、前記バックライトユニットは、前記観察者側から見て前記第１の環型蛍光灯および前記第２の環型蛍光灯と交差する第３の環型蛍光灯を有する液晶表示装置。
【発明の効果】
【００２５】
本発明によれば、たとえば、横方向と縦方向の寸法比が１６：９などのワイド型の表示領域を有する液晶表示装置の色温度や色再現性を容易に向上させることができるとともに、面輝度の均一性を容易に高くすることができる。
【発明を実施するための最良の形態】
【００２６】
以下、本発明について、図面を参照して実施の形態（実施例）とともに詳細に説明する。
なお、実施例を説明するための全図において、同一機能を有するものは、同一符号を付け、その繰り返しの説明は省略する。
【００２７】
図１（ａ）および図１（ｂ）は、本発明に関わる液晶表示装置の概略構成を説明するための模式図である。図１（ａ）は、本発明に関わる液晶表示装置を観察者側から見たときの一構成例を示す模式平面図である。図１（ｂ）は、図１（ａ）のＡ−Ａ’線における模式断面図である。
また、図１（ａ）および図１（ｂ）において、１は液晶表示パネル、１０１はＴＦＴ基板、１０２は対向基板、１０３は液晶材料、２はバックライトユニット、３は外装、ＤＡは表示領域、ＤＡｘは表示領域の横方向の寸法、ＤＡｙは表示領域の縦方向の寸法、ＯＢＳは観察者である。
【００２８】
本発明に関わる液晶表示装置は、たとえば、液晶テレビやＰＣ向けのディスプレイなどの透過型の液晶表示装置であり、たとえば、図１（ａ）および図１（ｂ）に示すように、液晶表示パネル１とバックライトユニット２が、外装３に収納されている。
【００２９】
液晶表示パネル１は、第１の基板１０１と第２の基板１０２との間に液晶材料１０３を封入した表示パネルであり、概略矩形の表示領域ＤＡを有する。表示領域ＤＡは、多数個の画素の集合で設定される領域であり、各画素は、たとえば、ＴＦＴ素子および画素電極を有する。また、本発明に関わる液晶表示装置における液晶表示パネル１は、たとえば、従来の透過型の液晶表示装置で用いられている液晶表示パネルのいずれかであればよい。そのため、液晶表示パネル１の構成に関する詳細な説明は省略する。
【００３０】
バックライトユニット２は、観察者ＯＢＳから見て液晶表示パネル１の後方に配置された直下型のバックライトユニットである。なお、図１（ｂ）では省略しているが、バックライトユニット２は、光源として用いる蛍光灯と、観察者ＯＢＳから見て前記蛍光灯の後方に出射した蛍光灯の光を観察者ＯＢＳ側（液晶表示パネル１側）に反射させる反射面を有する筐体と、前記蛍光灯と前記液晶表示パネル１との間に配置される光学シートとを有する。前記光学シートは、たとえば、光拡散板や調光板などで構成されている。
【００３１】
また、図１（ａ）および図１（ｂ）には示していないが、本発明に関わる液晶表示装置は、液晶表示パネル１およびバックライトユニット２の他に、たとえば、液晶表示パネル１に加える信号を生成する駆動回路（ドライバＩＣ）を有するプリント回路基板、液晶表示パネル１に信号を加えるタイミングを制御する制御回路などを有するプリント回路基板、バックライトユニット２の蛍光灯の点灯および消灯を制御するインバータ回路を有するプリント基板などを有し、これらのプリント回路基板なども外装３に収容されている。
【００３２】
また、本発明は、前記透過型の液晶表示装置のうちの、たとえば、ワイド型と呼ばれる表示領域ＤＡを有する液晶表示装置に適用される。なお、前記ワイド型の表示領域ＤＡというのは、図１（ａ）に示した表示領域ＤＡの横方向の寸法ＤＡｘと縦方向の寸法ＤＡｙの寸法比が、たとえば、１６：９であるような表示領域のことを指す。
【００３３】
以下、このような構成の透過型の液晶表示装置において、色温度や色再現性を容易に向上させるとともに、面輝度の均一性を容易に高くすることが可能なバックライトユニット２の構成の一例を説明する。
【実施例】
【００３４】
図２（ａ）乃至図２（ｃ）は、本発明による一実施例のバックライトユニットの概略構成を示す模式図である。図２（ａ）は、本発明による一実施例のバックライトユニットを観察者側から見た模式平面図である。図２（ｂ）は、図２（ａ）のＢ−Ｂ’線から右方向を見たときの模式側断面図である。図２（ｃ）は、図２（ａ）のＣ−Ｃ’線における模式断面図である。
なお、図２（ａ）の平面図では、光学シートを省略している。
図２（ａ）乃至図２（ｃ）において、２０１は第１の環型蛍光灯、２０２は第２の環型蛍光灯、２０１ａ，２０２ａはソケット、２０１ｂ，２０２ｂは発光部、２０３は筐体（フレーム部材）、２０４は反射シート、２０５は光学シート、２０６ａ，２０６ｂはピンモールド、２０７ａは第１のカバー部材、２０７ｂは第２のカバー部材、２０８は接続用開口部、４はインバータ回路基板、５はケーブル、６はプラグである。
【００３５】
本実施例のバックライトユニット２は、たとえば、図２（ａ）乃至図２（ｂ）に示すように、第１の環型蛍光灯２０１および第２の環型蛍光灯２０２と、筐体２０３と、反射シート２０４と、光学シート２０５と、ピンモールド２０６ａ，２０６ｂと、第１のカバー部材２０７ａおよび第２のカバー部材２０７ｂとを有する。
【００３６】
第１の環型蛍光灯２０１および第２の環型蛍光灯２０２は、熱陰極型の環型蛍光灯であり、それぞれ、ソケット２０１ａ，２０２ａおよび発光部２０１ｂ，２０２ｂを有する。
【００３７】
また、第１の環型蛍光灯２０１および第２の環型蛍光灯２０２のソケット２０１ａ，２０２ａには、たとえば、インバータ回路基板４に接続しているケーブル５の先端に取り付けられたプラグ６が差し込まれている。このとき、インバータ回路基板４は、たとえば、筐体２０２の外側（裏面）に配置されており、プラグ６は、筐体２０３および反射シート２０４に設けられた接続用開口部２０８を通して第１の環型蛍光灯２０１および第２の環型蛍光灯２０２のソケット２０１ａ，２０２ａに接続している。
【００３８】
また、第１の環型蛍光灯２０１および第２の環型蛍光灯２０２は、環の直径が概ね等しい。そして、第１の環型蛍光灯２０１と第２の環型蛍光灯２０２とは、液晶表示パネル１の表示面と平行な方向に並んでおり、かつ、観察者ＯＢＳ側から見たときに交差しないように配置されている。すなわち、第１の環型蛍光灯２０１と第２の環型蛍光灯２０２とは、観察者ＯＢＳ側から見た第１の環型蛍光灯２０１の環の中心と第２の環型蛍光灯２０２の環の中心との距離が、当該２つの環型蛍光灯２０１，２０２の直径よりも長くなるように配置されている。
【００３９】
筐体２０３は、一般に下フレームと呼ばれているフレーム部材であり、液晶表示パネル１と対向する面が開口した概略箱型の部材である。また、反射シート２０４は、たとえば、液晶表示パネル１と対向する面を白色に塗装した薄い金属板である。
【００４０】
光学シート２０５は、蛍光灯から発せられた光を面状光線に変換するためのものであり、たとえば、光拡散板や調光板などを重ね合わせたものである。
【００４１】
ピンモールド２０６ａ，２０６ｂは、たとえば、光学シート２０５のたわみを防ぐための支持部材であり、筐体２０３および反射シート２０４に設けられた開口部（図示しない）に挿入固定されている。なお、ピンモールド２０６ａは、光学シートのたわみを防ぐとともに、第１の環型蛍光灯２０１または第２の環型蛍光灯２０２を支持する支持部を有するピンモールドであり、ピンモールド２０６ｂは、光学シートのたわみを防ぐためのみのピンモールドである。
【００４２】
また、本実施例のバックライトユニット２は、第１の環型蛍光灯２０１のソケット２０１ａおよびその周辺が第１のカバー部材２０７ａで覆われており、第２の環型蛍光灯２０２のソケット２０２ａおよびその周辺が第２のカバー部材２０７ｂで覆われている。第１のカバー部材２０７ａおよび第２のカバー部材２０７ｂは、たとえば、白色の樹脂成型品であり、たとえば、筐体２０３および反射シート２０４に設けられた開口部（図示しない）に挿入固定されている。なお、第１のカバー部材２０７ａおよび第２のカバー部材２０７ｂは、たとえば、外側を向く面が白色の薄い金属板を金型で成型したものであってもよい。
【００４３】
本実施例のバックライトユニット２で用いる２個の環型蛍光灯２０１，２０２は、たとえば、従来の照明器具で用いられている環型蛍光灯と同等のものである。また、各環型蛍光灯２０１，２０２のソケット２０１ａ，２０２ａを、それぞれ、第１のカバー部材２０７ａおよび第２のカバー部材２０７ｂで覆うことにより、各環型蛍光灯２０１，２０２のソケット２０１ａ，２０２ａがある位置の周囲における輝度の低下を防ぐことができる。
【００４４】
そのため、本実施例のバックライトユニット２を用いることで、ワイド型の液晶表示装置における色温度や色再現性を容易に向上させるとともに、面輝度の均一性を容易に高くすることができる。
【００４５】
また、本実施例のバックライトユニット２で用いる蛍光灯は２個であり、１個の環型蛍光灯が有するソケット（端子）は１個である。これに対し、従来の直線型またはＵ字型の蛍光灯では、たとえば、１つのバックライトユニットに十数本の蛍光灯が用いられており、１本の蛍光灯が有するソケット（端子）は２個である。そのため、本実施例のバックライトユニット２は、その組み立て作業において、インバータ回路基板４に接続されたケーブル５（プラグ６）を蛍光灯のソケットに接続する作業の効率が、従来のものに比べて非常に良くなる。
【００４６】
図３（ａ）は、本実施例のバックライトユニットの第１の変形例を示す模式平面図である。図３（ｂ）は、本実施例のバックライトユニットの第２の変形例を示す模式平面図である。
【００４７】
本実施例のバックライトユニット２の構成を説明するにあたり、図２（ａ）に示した例では、各環型蛍光灯２０１，２０２のソケット２０１ａ，２０２ａが、筐体２０３（表示領域ＤＡ）の下辺と向かい合うように、各環型蛍光灯２０１，２０２を配置したバックライトユニット２を挙げている。
【００４８】
しかしながら、本実施例のバックライトユニット２における各環型蛍光灯２０１，２０２の配置は、そのような配置に限らず、たとえば、図３（ａ）に示すように、第１の環型蛍光灯２０１のソケット２０１ａが筐体２０３（表示領域ＤＡ）の左辺と向かい合い、第２の環型蛍光灯２０２のソケット２０２ａが筐体２０３（表示領域ＤＡ）の右辺と向かい合うような配置であってもよい。
【００４９】
また、各環型蛍光灯２０１，２０２の配置は、たとえば、図３（ｂ）に示すように、第１の環型蛍光灯２０１のソケット２０１ａが筐体２０３（表示領域ＤＡ）の左下角部と向かい合い、第２の環型蛍光灯２０２のソケット２０２ａが筐体２０３（表示領域ＤＡ）の右下角部と向かい合うような配置であってもよい。
【００５０】
またさらに、図２（ａ）、図３（ａ）、および図３（ｂ）では、筐体２０３の下辺側にインバータ回路基板４を配置しているが、これに限らず、筐体４の上辺側にインバータ回路基板４が配置されていてもよい。その場合、たとえば、各環型蛍光灯２０１，２０２のソケット２０１ａ，２０２ａが、筐体２０３（表示領域ＤＡ）の上辺と向かい合うように各環型蛍光灯２０１，２０２を配置してもよいことはもちろんである。
【００５１】
図４は、本実施例のバックライトユニットの第１の応用例を示す模式側断面図である。なお、図４は、図２（ａ）のＢ−Ｂ’線から右方向を見たときの側断面図に相当する。
【００５２】
本実施例のバックライトユニット２の構成を説明するにあたり、図２（ｂ）に示した例では、薄い金属板を成型した反射シート２０４を用いたバックライトユニット２を挙げている。
【００５３】
しかしながら、本実施例のバックライトユニット２は、そのような構成に限らず、たとえば、図４に示すように、筐体２０３の内部の外周部分に、たとえば、サイドモールドと呼ばれる、白色の樹脂成型品からなる反射部材２０９を設けてもよい。この場合、筐体２０３の内側底面は、たとえば、白色に塗装することで反射面としての機能を持たせる。
【００５４】
図５（ａ）乃至図５（ｃ）は、本実施例のバックライトユニットの第２の応用例を示す模式図である。図５（ａ）は、本実施例のバックライトユニットの第２の応用例の一構成例を示す模式平面図である。図５（ｂ）は、図５（ａ）のＤ−Ｄ’線から上方を見たときの模式側断面図である。図５（ｃ）は、第２の応用例の変形例を説明するための模式側断面図である。
なお、図５（ｃ）は、図５（ａ）のＤ−Ｄ’線から上方を見たときの模式側断面図に相当する。
【００５５】
本実施例のバックライトユニット２における反射シート２０４の底面、すなわち液晶表示パネル１に対向する面は、たとえば、図２（ｃ）に示した例では、平坦な面になっている。このように、反射シート２０４の底面が平坦な面であると、各環型蛍光灯２０１，２０２の環の中心部分が他の部分に比べて暗くなり、面輝度の均一性が低くなる可能性がある。
【００５６】
そのため、本実施例のような構成にする場合、たとえば、図５（ａ）および図５（ｂ）に示すように、観察者ＯＢＳ側から見た各環型蛍光灯２０１，２０２の内側に、反射部材２１０を設け、反射面を液晶表示パネル１側に隆起させてもよい。反射部材２１０は、たとえば、外形が円錐台形の樹脂成型品であり、たとえば、反射シート２０４の底面に貼り付けて固定する。
【００５７】
また、反射部材２１０を設ける代わりに、たとえば、図５（ｃ）に示すように、反射シート２０４を成型して、反射面を液晶表示パネル１側に隆起させてもよい。
【００５８】
図６（ａ）および図６（ｂ）は、本実施例のバックライトユニットの第３の応用例を示す模式図である。図６（ａ）は、本実施例のバックライトユニットの第３の応用例の一構成例を示す模式平面図である。図６（ｂ）は、図６（ａ）のＥ−Ｅ’線から上方を見たときの模式側断面図である。
なお、図６（ｂ）の側断面図では、反射シート２０４を省略している。
【００５９】
本実施例のバックライトユニット２では、２個の環型蛍光灯２０１，２０２を並べて配置している。しかしながら、このような配置にすると、たとえば、各環型蛍光灯２０１，２０２からの距離が長い筐体２０３（表示領域ＤＡ）の角部や、上辺および下辺の中間部分が他の部分に比べて暗くなり、面輝度の均一性が低くなる可能性がある。
【００６０】
そのため、本実施例のような構成にする場合、たとえば、図６（ａ）および図６（ｂ）に示すように、筐体２０３（表示領域ＤＡ）の角部や、上辺および下辺の中間部分に、反射部材２１１を設け、当該部分における反射面を各環型蛍光灯２０１，２０２からの距離が長くなるにつれて液晶表示パネル１に近づくように傾斜させてもよい。
【００６１】
また、図示は省略するが、反射部材２１１を設ける代わりに、たとえば、反射シート２０４を成型して、筐体２０３（表示領域ＤＡ）の角部や、上辺および下辺の中間部分における反射面を傾斜させてもよい。
【００６２】
以上、本発明を、前記実施例に基づき具体的に説明したが、本発明は、前記実施例に限定されるものではなく、その要旨を逸脱しない範囲において、種々変更可能であることはもちろんである。
【００６３】
たとえば、前記実施例では、各環型蛍光灯２０１，２０２のソケット２０１ａ，２０２ａを、それぞれ、第１のカバー部材２０７ａおよび第２のカバー部材２０７ｂで覆っているバックライトユニット２を例に挙げている。しかしながら、各環型蛍光灯２０１，２０２のソケット２０１ａ，２０２ａの表面が、たとえば、白色であれば、各環型蛍光灯２０１，２０２のソケット２０１ａ，２０２ａの表面における光の反射率も十分に高い。そのため、各環型蛍光灯２０１，２０２のソケット２０１ａ，２０２ａの表面が白色である場合は、第１のカバー部材２０７ａおよび第２のカバー部材２０７ｂを使用しなくても、面輝度の均一性を高くすることができる。
【００６４】
図７（ａ）および図７（ｂ）は、前記実施例をもとにしたバックライトユニットの参考例を示す模式図である。図７（ａ）は、バックライトユニットの参考例の一構成例を示す模式平面図である。図７（ｂ）は、図７（ａ）のＦ−Ｆ’線から上方を見たときの模式側断面図である。
なお、図７（ｂ）の側断面図では、反射シート２０４を省略している。
【００６５】
前記実施例のバックライトユニット２では、第１の環型蛍光灯２０１と第２の環型蛍光灯２０２の２つの環型蛍光灯を、観察者ＯＢＳ側から見たときに交差しないように並べて配置している。そのため、前述のように、たとえば、各環型蛍光灯２０１，２０２の環の中心付近や、筐体２０３（表示領域ＤＡ）の上辺および下辺の中間部分が他の部分に比べて暗くなる可能性がある。
【００６６】
そのような現象を防ぐには、前記実施例で説明した構成のバックライトユニット２をもとにして、たとえば、図７（ａ）および図７（ｂ）に示すように、筐体２０３（表示領域ＤＡ）の中央部分に、観察者ＯＢＳ側から見て第１の環型蛍光灯２０１および第２の環型蛍光灯２０２と交差する第３の環型蛍光灯２１２を設けてもよい。
【図面の簡単な説明】
【００６７】
【図１（ａ）】本発明に関わる液晶表示装置を観察者側から見たときの一構成例を示す模式平面図である。
【図１（ｂ）】図１（ａ）のＡ−Ａ’線における模式断面図である。
【図２（ａ）】本発明による一実施例のバックライトユニットを観察者側から見た模式平面図である。
【図２（ｂ）】図２（ａ）のＢ−Ｂ’線から右方向を見たときの模式側断面図である。
【図２（ｃ）】図２（ａ）のＣ−Ｃ’線における模式断面図である。
【図３（ａ）】本実施例のバックライトユニットの第１の変形例を示す模式平面図である。
【図３（ｂ）】本実施例のバックライトユニットの第２の変形例を示す模式平面図である。
【図４】本実施例のバックライトユニットの第１の応用例を示す模式側断面図である。
【図５（ａ）】本実施例のバックライトユニットの第２の応用例の一構成例を示す模式平面図である。
【図５（ｂ）】図５（ａ）のＤ−Ｄ’線から上方を見たときの模式側断面図である。
【図５（ｃ）】第２の応用例の変形例を説明するための模式側断面図である。
【図６（ａ）】本実施例のバックライトユニットの第３の応用例の一構成例を示す模式平面図である。
【図６（ｂ）】図６（ａ）のＥ−Ｅ’線から上方を見たときの模式側断面図である。
【図７（ａ）】バックライトユニットの参考例の一構成例を示す模式平面図である。
【図７（ｂ）】図７（ａ）のＦ−Ｆ’線から上方を見たときの模式側断面図である。
【符号の説明】
【００６８】
１…液晶表示パネル
１０１…ＴＦＴ基板
１０２…対向基板
１０３…液晶材料
２…バックライトユニット
２０１…第１の環型蛍光灯
２０２…第２の環型蛍光灯
２０１ａ，２０２ａ…ソケット
２０１ｂ，２０２ｂ…発光部
２０３…筐体（フレーム部材）
２０４…反射シート
２０５…光学シート
２０６ａ，２０６ｂ…ピンモールド
２０７ａ…第１のカバー部材
２０７ｂ…第２のカバー部材
２０８…接続用開口部
２０９，２１０，２１１…反射部材
２１２…第３の環型蛍光灯
３…外装
４…インバータ回路基板
５…ケーブル
６…プラグ
【図１（ａ）】
2008304790.tif 000003
【図１（ｂ）】
2008304790.tif 000004
【図２（ａ）】
2008304790.tif 000005
【図２（ｂ）】
2008304790.tif 000006
【図２（ｃ）】
2008304790.tif 000007
【図３（ａ）】
2008304790.tif 000008
【図３（ｂ）】
2008304790.tif 000009
【図４】
2008304790.tif 000010
【図５（ａ）】
2008304790.tif 000011
【図５（ｂ）】
2008304790.tif 000012
【図５（ｃ）】
2008304790.tif 000013
【図６（ａ）】
2008304790.tif 000014
【図６（ｂ）】
2008304790.tif 000015
【図７（ａ）】
2008304790.tif 000016
【図７（ｂ）】
2008304790.tif 000017
【手続補正書】
【提出日】平成19年6月11日(2007.6.11)
【手続補正１】
【補正対象書類名】明細書
【補正対象項目名】００３５
【補正方法】変更
【補正の内容】
【００３５】
本実施例のバックライトユニット２は、たとえば、図２（ａ）乃至図２（ｃ）に示すように、第１の環型蛍光灯２０１および第２の環型蛍光灯２０２と、筐体２０３と、反射シート２０４と、光学シート２０５と、ピンモールド２０６ａ，２０６ｂと、第１のカバー部材２０７ａおよび第２のカバー部材２０７ｂとを有する。
【手続補正２】
【補正対象書類名】明細書
【補正対象項目名】００３７
【補正方法】変更
【補正の内容】
【００３７】
また、第１の環型蛍光灯２０１および第２の環型蛍光灯２０２のソケット２０１ａ，２０２ａには、たとえば、インバータ回路基板４に接続しているケーブル５の先端に取り付けられたプラグ６が差し込まれている。このとき、インバータ回路基板４は、たとえば、筐体２０３の外側（裏面）に配置されており、プラグ６は、筐体２０３および反射シート２０４に設けられた接続用開口部２０８を通して第１の環型蛍光灯２０１および第２の環型蛍光灯２０２のソケット２０１ａ，２０２ａに接続している。